(57)【要約】【課題】シースルーの特性を維持可能で、ハーフミラーを透過する画像光の外界への漏れを抑制可能なシースルー型のヘッドマウントディスプレイを提供することを目的とする。【解決手段】ヘッドマウントディスプレイ１００は、画像提示装置１１４から出射された光線１２０ａの一部であって、ハーフミラー１１６を透過した光線１２０ｃを外界に対し遮光しかつ外光を透過する位置、及び、ハーフミラー１１６を透過した光線１２０ｃを外界に対し遮光しかつ外光を遮光する位置に、遮光板１２４を保持することとしたものである。【選択図】図１
2010134134.tif 000002
【特許請求の範囲】
【請求項１】
出射部から出射される画像光を、外界からの外光を透過し外界像を視認可能なハーフミラーで反射させ、前記ハーフミラーで反射した前記画像光を利用者の眼に入射し、前記利用者に前記画像光によって示される画像を認識させるヘッドマウントディスプレイであって、
前記ハーフミラーは、前記ヘッドマウントディスプレイを装着した前記利用者の眼の前方に配置されるとともに、
前記ハーフミラーの外界面側に配置され、前記ハーフミラーで反射することなく、前記ハーフミラーを透過した前記画像光と、前記ハーフミラーを透過する前記外光と、を遮光可能な遮光板と、
前記ヘッドマウントディスプレイの所定の位置に設けられ、前記ハーフミラーを透過した前記画像光を外界に対し遮光しかつ前記外光を透過する位置、及び、前記ハーフミラーを透過した前記画像光を外界に対し遮光しかつ前記外光を遮光する位置に、前記遮光板を保持可能な保持部と、を備えることを特徴とするヘッドマウントディスプレイ。
【請求項２】
前記保持部は、前記ヘッドマウントディスプレイを装着した前記利用者の視線に対して略平行で、前記ハーフミラーを透過した前記画像光を外界に対し遮光しかつ前記外光を透過する位置、及び、前記ハーフミラーの外界面に略平行で、前記ハーフミラーを透過した前記画像光を外界に対し遮光しかつ前記外光を遮光する位置に、前記遮光板を保持可能であることを特徴とする請求項１に記載のヘッドマウントディスプレイ。
【請求項３】
前記保持部は、前記保持部を構成する回動軸を介して前記ハーフミラー及び前記遮光板を直接又は間接的に連結し、前記遮光板を、前記回動軸を中心に回動可能に保持することを特徴とする請求項１又は請求項２に記載のヘッドマウントディスプレイ。
【発明の詳細な説明】
【技術分野】
【０００１】
本発明は、ヘッドマウントディスプレイを装着した場合においても、外光を透過し、外界像を視認可能なシースルー型のヘッドマウントディスプレイに関するものである。
【背景技術】
【０００２】
利用者の眼にコンテンツデータにより示されるコンテンツ画像を視認可能に提示し、この利用者にコンテンツ画像を認識させるヘッドマウントディスプレイが提案されている。ここで、ヘッドマウントディスプレイには、外界像を視認可能なタイプと、不可能なタイプがあり、後者は、特に、シースルー型のヘッドマウントディスプレイと称することがある。シースルー型のヘッドマウントディスプレイに関し、次のような構成が提案されている。すなわち、外界の光の影響を受けない電子映像を外界像の任意の場所に表示可能とする技術であって、具体的には、外界像と液晶表示素子上の電子映像とを合成するハーフミラーの前方（ハーフミラーを基準として利用者の眼と反対側。換言すれば、外界側。）に、遮光領域を任意に変更できる透過型液晶パネルを配置した構成のヘッドマウントディスプレイが提案されている（例えば、特許文献１参照）。
【特許文献１】特開平５−３２８２６０号公報
【発明の開示】
【発明が解決しようとする課題】
【０００３】
ところで、ハーフミラーに出射された画像光は、ハーフミラーで反射するが、その一部は、ハーフミラーを透過する。透過した画像光は、そのまま外界に射出される。例えば、多くの人が集まった場所であれば、外界に射出された画像光が周りの人の眼に入射すると不快感を与えるので、このような画像光の漏れを考慮する必要がある。上述のシースルー型のヘッドマウントディスプレイであれば、透過型液晶パネルに遮光領域で、このような画像光の漏れを防止することができるかもしれない。しかしながら、シースルー型のヘッドマウントディスプレイの特徴は、説明するまでもなく外界像が視認できるところである。かかる特徴を維持する上で、外界像を視認可能とするために採用されたハーフミラーの外界面側（特許文献１に基づけば「前方」）に、外界像を遮光する手段（装置）を配置すれば、上記問題は解決することができたとしても、シースルーに関する特性を維持することが阻害される可能性がある。
【０００４】
本発明は、シースルーの特性を維持可能で、ハーフミラーを透過する画像光の外界への漏れを抑制可能なシースルー型のヘッドマウントディスプレイを提供することを目的とする。
【課題を解決するための手段】
【０００５】
上記従来の課題に鑑みなされた本発明のヘッドマウントディスプレイは、ハーフミラーを透過した画像光を外界に対し遮光しかつ外光を透過する位置、及び、ハーフミラーを透過した画像光を外界に対し遮光しかつ外光を遮光する位置に、遮光板を保持することとしたものである。
【０００６】
本発明を反映した第１の課題解決手段は、出射部から出射される画像光を、外界からの外光を透過し外界像を視認可能なハーフミラーで反射させ、前記ハーフミラーで反射した前記画像光を利用者の眼に入射し、前記利用者に前記画像光によって示される画像を認識させるヘッドマウントディスプレイであって、前記ハーフミラーは、前記ヘッドマウントディスプレイを装着した前記利用者の眼の前方に配置されるとともに、前記ハーフミラーの外界面側に配置され、前記ハーフミラーで反射することなく、前記ハーフミラーを透過した前記画像光と、前記ハーフミラーを透過する前記外光とを遮光可能な遮光板と、前記ヘッドマウントディスプレイの所定の位置に設けられ、前記ハーフミラーを透過した前記画像光を外界に対し遮光しかつ前記外光を透過する位置、及び、前記ハーフミラーを透過した前記画像光を外界に対し遮光しかつ前記外光を遮光する位置に、前記遮光板を保持可能な保持部と、を備えることを特徴とするヘッドマウントディスプレイである。これによれば、ハーフミラーを透過した画像光を外界に対し遮光しつつ、外光については、透過及び遮光を切り替えることができる。
【０００７】
第２の課題解決手段は、第１の課題解決手段のヘッドマウントディスプレイであって、前記保持部は、前記ヘッドマウントディスプレイを装着した前記利用者の視線に対して略平行で、前記ハーフミラーを透過した前記画像光を外界に対し遮光しかつ前記外光を透過する位置、及び、前記ハーフミラーの外界面に略平行で、前記ハーフミラーを透過した前記画像光を外界に対し遮光しかつ前記外光を遮光する位置に、前記遮光板を保持可能であることを特徴とする。これによれば、画像光を外界に対し遮光しつつ、外光を透過させる場合において、顔面からの突出がなるべく小さくなるようハーフミラーをできる限り小型とし、遮光板が利用者の視界内に存在しても遮光板によって視界が遮られる状態を抑制することができる。
【０００８】
第３の課題解決手段は、第１又は第２の課題解決手段のヘッドマウントディスプレイであって、前記保持部は、前記保持部を構成する回動軸を介して前記ハーフミラー及び前記遮光板を直接又は間接的に連結し、前記遮光板を、前記回動軸を中心に回動可能に保持することを特徴とする。これによれば、遮光板が保持される位置を切り替えることができる。
【発明の効果】
【０００９】
本発明によれば、シースルーの特性を維持可能で、ハーフミラーを透過する画像光の外界への漏れを抑制可能なシースルー型のヘッドマウントディスプレイを得ることができる。
【発明を実施するための最良の形態】
【００１０】
本発明を反映した上記課題解決手段を実施するための実施形態について、図面を用いて以下に詳細に説明する。なお、上記課題解決手段は以下に記載の構成に限定されるものではなく、同一の技術的思想において種々の構成を採用することができる。例えば、以下の説明では、ヘッドマウントディスプレイ本体と、ヘッドマウントディスプレイ本体にコンテンツ画像を提供する制御ボックスと、を接続して構成された別体のヘッドマウントディスプレイを例に説明するが、これら各装置を一体の装置として構成することもできる。なお、以下の説明において、ヘッドマウントディスプレイ本体を、単にヘッドマウントディスプレイ（Ｈｅａｄ  Ｍｏｕｎｔｅｄ  Ｄｉｓｐｌａｙ／以下、「ＨＭＤ」という。）という。
【００１１】
（ヘッドマウントディスプレイの概要）
図１に、ＨＭＤの構成、より具体的には、図１（ａ）にＨＭＤの上面図、図１（ｂ）にＨＭＤの正面図、図１（ｃ）にＨＭＤの左側面図を示す。また、図２にＨＭＤを利用者が装着した状態を示す。
【００１２】
ＨＭＤ１００は、一端に利用者の耳に当たるモダン１０２Ａ，１０２Ｂが取り付けられたテンプル１０４Ａ，１０４Ｂと、テンプル１０４Ａ，１０４Ｂの他端に兆番１１２Ａ，１１２Ｂを介して連結されたヨロイ１０６Ａ，１０６Ｂと、ヨロイ１０６Ａ，１０６Ｂを連結するフロントフレーム１０８と、フロントフレーム１０８の中央部に一体的に形成され、利用者の鼻に当接する鼻パッド１１０と、により骨格部が形成されている。ヨロイ１０６Ａ，１０６Ｂに形成された兆番１１２Ａ，１１２Ｂでテンプル１０４Ａ，１０４Ｂを折りたたむことができる。ＨＭＤ１００の骨格部の構成は、例えば、通常の眼鏡と同様であり、ＨＭＤ１００は、利用者に装着された状態において、モダン１０２Ａ，１０２Ｂと、鼻パッド１１０と、により利用者の顔に支持される（図２参照）。なお、図１（ｂ）において、モダン１０２Ａ，１０２Ｂ及びテンプル１０４Ａ，１０４Ｂの描画を省略している。
【００１３】
ＨＭＤ１００の骨格部には、画像提示装置１１４（出射部）が、ヨロイ１０６Ａ付近に配設された（設けられた）取付部１２２を介して取り付けられている。画像提示装置１１４は、ヨロイ１０６Ａ付近に取付部１２２を介して取り付けられた状態において、ＨＭＤ１００を装着した利用者の左眼１１８と略同一の高さとなる位置に設置されている（図２参照）。画像提示装置１１４は、制御ボックス２００と、所定の信号ケーブル２５０と接続されている（図２参照）。なお、制御ボックス２００は、例えば、利用者の腰等に取り付け、利用される。
【００１４】
制御ボックス２００は、所定の領域に記憶されたコンテンツデータに対しレンダリング処理を実行し、自装置が備える入出力インターフェース（以下、「Ｉ／Ｆ」という。）を制御し、レンダリング処理によって得られたコンテンツ画像を含むコンテンツ画像信号を、信号ケーブル２５０を介して画像提示装置１１４に出力する。画像提示装置１１４は、制御ボックス２００が出力するコンテンツ画像信号を、図１及び２には描画していない入出力Ｉ／Ｆを介して受信し、これを取得する。そして、コンテンツ画像信号に基づくコンテンツ画像を、ハーフミラー１１６に向けて光学的に出射する。
【００１５】
画像提示装置１１４から出射されたコンテンツ画像（光線）は、ハーフミラー１１６で、反射し、利用者の左眼１１８に入射、換言すれば、視認可能に提示（投影）される。これにより、利用者はコンテンツ画像を認識する。ここで、図１（ａ）において符号１２０ａは、画像提示装置１１４から出射されたコンテンツ画像に関する光線を示し、符号１２０ｂは、ハーフミラー１１６を反射し、利用者の左眼１１８に入射する光線を示す。また、光線１２０ｃは、ハーフミラー１１６を透過したコンテンツ画像に関する光線を示す。
【００１６】
ハーフミラー１１６の先端には遮光板１２４が回動可能に保持されている。遮光板１２４は、常に利用者の視界内に存在するが、利用者の視線１２６に平行な位置に保持された場合、利用者の視界を遮ることなく、ハーフミラー１１６を透過した光線１２０ｃの進行を遮る。ハーフミラー１１６側に回動させ、ハーフミラー１１６と略平行な（ハーフミラー１１６と重なった）位置で保持した場合、ハーフミラー１１６に入射する外光を遮光することができる。遮光板１２４を保持する構成の詳細については後述する。なお、遮光板１２４は、光線１２０ｃが反射することを抑制すべく、光線１２０ｃを吸収するような態様で形成されている。例えば、遮光板１２４の表面は黒色とされている。
【００１７】
画像提示装置１１４は、取得したコンテンツ画像信号に応じた光線１２０ａ，１２０ｂを２次元方向に走査し、その走査された光線１２０ａ，１２０ｂを利用者の左眼１１８に導き網膜上にコンテンツ画像を形成する網膜走査型のディスプレイを用いて構成することができる他、液晶ディスプレイ、有機ＥＬ（Ｏｒｇａｎｉｃ  Ｅｌｅｃｔｒｏｌｕｍｉｎｅｓｃｅｎｃｅ）ディスプレイその他の装置を用いた構成とすることもできる。特に、液晶ディスプレイ方式や有機ＥＬ方式では表示面全体から光が放射されるので、ハーフミラーを透過して外界に放射される光量も大きく、周囲の人の眼に入った場合、その光は利用者が眼に入れているのとは異なり、ちらつき等となって大きく不快感を与える。なお、ＨＭＤ１００及び制御ボックス２００は、電源コントローラに接続されたバッテリーから、電源コントローラを介して電源の供給を受け、駆動する。
【００１８】
（遮光板を保持する第１の構成）
図３及び図４は、遮光板の保持について、第１の構成を示すものであり、詳細には、次のとおりである。すなわち、図３は、遮光板を利用者の視線に略平行な位置に保持した構成を示す図である。図４は、遮光板をハーフミラーに略平行な位置に保持した構成を示す図である。なお、図３及び図４は、ＨＭＤ１００を構成する各部の内、画像提示装置１１４と、ハーフミラー１１６と、遮光板１２４とを示す。
【００１９】
先ず、第１の構成について図３に基づき説明する。この図３から明らかなとおり、画像提示装置１１４には、ハーフミラー１１６が取り付けられるハーフミラー取付フレーム１２８が、所定の手法で取り付けられている。ハーフミラー取付フレーム１２８は、光線１２０ａ（図１（ａ）参照）の進行方向に対して所定の角度をなしてハーフミラー１１６を保持可能な略Ｖ字形状とされている。ハーフミラー取付フレーム１２８に取り付けられたハーフミラー１１６を反射した光線１２０ｂ（図１（ａ）参照）は、上述のとおりＨＭＤ１００を装着している利用者の左眼１１８（図１（ａ）参照）に入射する。
【００２０】
ハーフミラー取付フレーム１２８の先端（画像提示装置１１４と反対側）には、遮光板１２４が取り付けられる遮光板取付フレーム１３０が、利用者の視線１２６（図１（ａ）参照）に略平行な位置で保持されている。換言すれば、ハーフミラー取付フレーム１２８の先端）には、利用者の視線１２６に略平行な位置であって、ハーフミラー１１６を透過した光線１２０ｃ（図１（ａ）参照）を外界に対し遮光する位置に、遮光板１２４を保持可能な保持部１３２が構成されている。保持部１３２は、ハーフミラー取付フレーム１２８に形成された貫通穴と、遮光板取付フレーム１３０に形成された貫通穴とを各々合致させ、一体を成した貫通穴にピン部材を挿入・固定し構成されている。なお、ピン部材が固定された状態において、遮光板取付フレーム１３０は、ピン部材を中心として回動することができる。例えば、図３の状態から図４の状態に回動することができる。なお、遮光板１２４が図３の位置である場合、ハーフミラー１１６に入射する外光は、ハーフミラー１１６を透過する。
【００２１】
図４に示す状態において、遮光板１２４は、ハーフミラー１１６を透過した光線１２０ｃを外界に対し遮光し、光線１２０ｃが外界に漏れることはない（光線１２０ｃは外界に対して遮光される。）。また、遮光板１２４は、ハーフミラー１１６に入射する外界からの外光も遮光する。換言すれば、遮光板１２４がハーフミラー１１６に略平行な位置に保持された場合、通常（例えば、遮光板１２４が図３の位置にある場合）であれば、ハーフミラー１１６を透過する外光は、遮光板１２４によって遮光される。
【００２２】
なお、遮光板１２４は、光線１２０ｃを遮光可能な大きさ（面積）で、かつハーフミラー１１６に平行な位置に保持された場合、利用者がハーフミラー１１６を介して外界像を視認するときの視線位置を含むハーフミラー１１６上の所定の範囲と重なる大きさで構成される。第１の構成において、遮光板１２４はハーフミラー１１６と同等の大きさ（面積）で構成されている（図４参照）。上述した第１の構成は、遮光板１２４を遮光板取付フレーム１３０に取り付けた構成としたが、これら２つを一体で形成した構成を採用することもできる。また、ハーフミラー１１６及びハーフミラー取付フレーム１２８についても一体で形成した構成としてもよい。
【００２３】
（遮光板を保持する第２の構成）
図５に遮光板を保持する第２の構成を示す。第２の構成では、ハーフミラー１１６を透過した光線を遮光する画像光遮光板１３４と、外界からハーフミラー１１６に入射する外光を遮光する外光遮光板１３６と、が各々設置されている。なお、第２の構成において、ハーフミラー１１６の取付構造等については、第１の構成と同様であるため、その説明を省略する。
【００２４】
図５に示すとおり、画像提示装置１１４には、遮光板取付フレーム１３８が装着されている。遮光板取付フレーム１３８は、自身を形成する中間面１３８ａがハーフミラー１１６に略平行となるよう、装着されている。また、遮光板取付フレーム１３８は、画像提示装置１１４の所定の面に上下方向（図５に描画の矢印参照。図５を正面視した状態において上側が上方向で、下側が下方向。以下、同じ。）に移動可能に装着されている。
【００２５】
ここで、遮光板取付フレーム１３８の画像提示装置１１４への装着は、保持部１４０を介して行われる。保持部１４０は、遮光板取付フレーム１３８に形成され、４隅に幅狭部１４０ｃ各々が形成された略Ｈ字形状の溝部１４０ａと、画像提示装置１１４の所定の面から突出し、溝部１４０ａ内を上下方向にスライドする２個の突出部１４０ｂとにより構成される。溝部１４０ａは遮光板取付フレーム１３８を板厚方向に貫通して形成されている。突出部１４０ｂが幅狭部１４０ｃに位置する場合、突出部１４０ｂには所定の力が作用し、その状態を維持することができる。換言すれば、両者の寸法は、しまりばめの関係にある。
【００２６】
遮光板取付フレーム１３８の先端部は、ハーフミラー取付フレーム１２８と同等の角度（図５に描画の折曲角度θ参照）に屈曲し、形成されている。画像提示装置１１４に装着された遮光板取付フレーム１３８の先端部の所定の位置には、画像光遮光板１３４及び外光遮光板１３６が各々取り付けられている。詳細には、画像光遮光板１３４は、ＨＭＤ１００を装着した利用者の視線１２６（図１（ａ）参照）と略平行な位置関係で、遮光板取付フレーム１３８の先端部に取り付けられている。また、外光遮光板１３６は、ハーフミラー１１６と略平行な位置関係で遮光板取付フレーム１３８の先端部に取り付けられている。
【００２７】
利用者が遮光板取付フレーム１３８を上下方向にスライドさせた場合、保持部１４０を構成する突出部１４０ｂ及び幅狭部１４０ｃが嵌合し、画像光遮光板１３４及び外光遮光板１３６各々は、所定の位置に固定的に配置される。具体的には、利用者が、遮光板取付フレーム１３８を下方向にスライドさせ、上側の幅狭部１４０ｃに突出部１４０ｂを嵌合させた場合（図５に示す状態）、画像光遮光板１３４は、利用者の視線に略平行な位置であってハーフミラー１１６を透過した光線１２０ｃ（図１（ａ）参照）を外界に対し遮光する位置に保持される。この場合、ハーフミラー１１６に入射する外光は、ハーフミラー１１６を透過する。
【００２８】
これに対し、利用者が、遮光板取付フレーム１３８を上方向にスライドさせ、下側の幅狭部１４０ｃに突出部１４０ｂを嵌合させた場合（図５において描画されている２個の幅狭部１４０ｃに嵌合させた場合）、外光遮光板１３６は、ハーフミラー１１６に略平行な位置であって、利用者がハーフミラー１１６を介して外界像を視認するときの視線位置に保持される。この場合、ハーフミラー１１６を透過した光線１２０ｃは外界に対し遮光される。また、外光も外光遮光板１３６によって遮光される。
【００２９】
なお、上記構成において、遮光板取付フレーム１３８は、外光を外光遮光板１３６で遮光しない場合において、シースルー特性を確保すべく、透明な材料で形成されている。
【００３０】
（遮光板を保持する第３の構成）
図６に、遮光板を保持する第３の構成を示す。第３の構成は、第２の構成が採用した保持部１４０とは異なる構成の保持部を採用したものである。なお、その他の構成については第２の構成と同様であるため、以下の説明では、保持部の構成についてのみ記載する。画像光遮光板及び外光遮光板が第２の構成と同じ位置にある場合、上記と同じく、画像光及び外光を遮光する。
【００３１】
図６に示す第３の構成において、保持部１４２は、画像提示装置１１４の所定の面に形成された縦溝１４２ａと、遮光板取付フレーム１４４が画像提示装置１１４に装着された状態において、縦溝１４２ａに対向する遮光板取付フレーム１４４の所定の部分に形成された、先端部が磁性材料からなる突出部（図６において描画せず）と、により構成されている。なお、縦溝１４２ａ及び突出部各々は、突出部が縦溝１４２ａを上下方向（図６に描画の矢印参照。図６を正面視した状態において上側が上方向で、下側が下方向。以下、同じ。）に移動したとしても、遮光板取付フレーム１４４が画像提示装置１１４から脱落しない所定の形状を成している。
【００３２】
ここで、縦溝１４２ａの上下端には、磁石１４２ｂが配置されている（図６では、下端に配設された磁石１４２ｂを描画する。）。したがって、突出部が縦溝１４２ａの上端又は下端に移動した場合、突出部の先端と磁石１４２ｂとが相互に引き合い、又は突出部の先端が磁石１４２ｂに引き寄せられることで、遮光板取付フレーム１４４をその状態に固定的に配設（保持）することができる。すなわち、利用者が、遮光板取付フレーム１４４を下方向にスライドさせ場合、画像光遮光板１３４は、利用者の視線に略平行な位置であってハーフミラー１１６を透過した光線１２０ｃ（図１参照）を外界に対し遮光し外光を透過する位置に保持される。また、利用者が、遮光板取付フレーム１４４を上方向にスライドさせ場合（図６参照）、外光遮光板１３６は、ハーフミラー１１６に略平行な位置であって、利用者がハーフミラー１１６を介して外界像を視認するときの視線位置（光線１２０ｃ及び外光ともに遮光する位置）に保持される。
【００３３】
（本実施形態の構成に基づく有利な効果）
上記実施形態のＨＭＤ１００では、ハーフミラー１１６を透過した光線１２０ｃを、ＨＭＤ１００を装着した利用者の視線と平行な位置に保持した遮光板１２４（画像光遮光板１３４）で外界に対して遮光する構成を採用した（例えば、図３及び図５参照）。これによれば、遮光板１２４（画像光遮光板１３４）が視界内にあるにもかかわらずＨＭＤ１００を装着した利用者の視界を確保しつつ、換言すれば、ＨＭＤ１００のシースルー特性を維持しつつ、光線１２０ｃが外界に漏れることを防止することができる。
【００３４】
また、上記実施形態のＨＭＤ１００では、外界からの外光を、ハーフミラー１１６に略平行に保持した遮光板１２４（外光遮光板１３６）で遮光する構成を採用した（例えば、図４及び図６参照）。これによれば、外光の影響を受け難いシースルー型のＨＭＤ１００とするこことができる。なお、この場合においても、光線１２０ｃは、外界に対して遮光されるため、光線１２０ｃが外界に漏れることを防止することができる。
【００３５】
すなわち、上記実施形態のＨＭＤ１００によれば、ハーフミラー１１６を透過した光線１２０ｃは常に外界に対し遮光し、外光は透過と遮光を切り替え可能とすることができる。
【図面の簡単な説明】
【００３６】
【図１】（ａ）乃至（ｃ）は、本発明の実施形態におけるＨＭＤの外観を示す図
【図２】本発明の実施形態におけるＨＭＤを装着した状態を示す図
【図３】本発明の実施形態における遮光板を保持する第１の構成であって、遮光板を利用者の視線に略平行な位置に保持した態様を示す図
【図４】本発明の実施形態における遮光板を保持する第１の構成であって、遮光板をハーフミラーと略平行な位置に保持した態様を示す図
【図５】本発明の実施形態における遮光板を保持する第２の構成を示す図
【図６】本発明の実施形態における遮光板を保持する第３の構成を示す図
【符号の説明】
【００３７】
１００  ヘッドマウントディスプレイ（ＨＭＤ）
１１４  画像提示装置
１１６  ハーフミラー
１２０ａ，１２０ｂ，１２０ｃ  光線
１２４  遮光板
１３２，１４０  保持部
１３４  画像光遮光板
１３６  外光遮光板
【図１】
2010134134.tif 000003
【図２】
2010134134.tif 000004
【図３】
2010134134.tif 000005
【図４】
2010134134.tif 000006
【図５】
2010134134.tif 000007
【図６】
2010134134.tif 000008